(57)【要約】【課題】効率よく対物レンズのクリーニングを行うことのできる光ディスク装置、及びプログラムを提供する。【解決手段】光ディスク装置１００は、フォーカス方向とトラッキング方向とに駆動する対物レンズ１１を有する光ピックアップ１０とマイコン７０とを備える。マイコン７０は、外部装置２００又は光ディスク媒体８０より音声信号を取得し、取得した音声信号により対物レンズ１１を駆動させて、対物レンズ１１に付着する埃等のクリーニングを行う。【選択図】図１
2009170032.tif 000002
【特許請求の範囲】
【請求項１】
対物レンズと、前記対物レンズをフォーカス方向とトラッキング方向とに駆動させるアクチュエータとを有する光ピックアップを備える光ディスク装置であって、
擬似ランダム信号を取得する擬似ランダム信号取得手段と、
前記擬似ランダム信号取得手段が取得した擬似ランダム信号を前記光ピックアップの前記アクチュエータに供給して前記アクチュエータを振動させることで前記対物レンズのクリーニングを行う駆動制御手段と、を備える、
ことを特徴とする光ディスク装置。
【請求項２】
前記光ピックアップを動作させて光ディスク媒体から擬似ランダム信号を読み取る擬似ランダム信号読取手段と、
前記擬似ランダム信号読取手段が読み取った擬似ランダム信号を記憶する擬似ランダム信号記憶手段と、をさらに備え、
前記擬似ランダム信号取得手段は、前記擬似ランダム信号記憶手段が記憶する擬似ランダム信号を取得する、
ことを特徴とする請求項１に記載の光ディスク装置。
【請求項３】
前記擬似ランダム信号取得手段は、外部より擬似ランダム信号を取得する、
ことを特徴とする請求項１に記載の光ディスク装置。
【請求項４】
前記擬似ランダム信号は、音声信号である、
ことを特徴とする請求項１乃至３の何れか１項に記載の光ディスク装置。
【請求項５】
対物レンズと、前記対物レンズをフォーカス方向とトラッキング方向とに駆動させるアクチュエータとを有する光ピックアップを備える光ディスク装置に含まれるコンピュータを、
擬似ランダム信号を取得する擬似ランダム信号取得手段、
前記擬似ランダム信号取得手段が取得した擬似ランダム信号により前記光ピックアップの前記アクチュエータを駆動させて前記対物レンズのクリーニングを行う駆動制御手段、
として機能させることを特徴とするプログラム。
【発明の詳細な説明】
【技術分野】
【０００１】
本発明は、アクチュエータを駆動させて対物レンズのクリーニングを行うことのできる光ディスク装置、及びプログラムに関する。
【背景技術】
【０００２】
現在、アクチュエータを駆動させて、対物レンズに付着した埃等のクリーニングを行うことのできる光ディスク装置が提案されている。
【０００３】
例えば、特許文献１の光ディスク装置は、デジタルサーボプロセッサ（以下、ＤＳＰ）と光ピックアップとを備え、ＤＳＰが単一周波数のクリーニング信号を生成し、生成したクリーニング信号で光ピックアップのアクチュエータを駆動させて対物レンズのクリーニングを行う。
【特許文献１】特開２００２−１５４４７号公報
【発明の開示】
【発明が解決しようとする課題】
【０００４】
しかし、特許文献１の技術では、発振器が生成した信号を分周器で必要な周波数に分周してクリーニング信号を生成するため、一定の周波数でしかクリーニング周波数を生成できない。そのため、クリーニングを行う際の対物レンズの振動は、規則的なものとなり、クリーニングの効率が悪かった。
また、発振器と分周器とを使用するために処理が煩雑であった。
本発明は、上記問題点に鑑みてなされたもので、効率よく対物レンズのクリーニングを行うことのできる光ディスク装置、及びプログラムを提供することを目的とする。
【課題を解決するための手段】
【０００５】
上記目的を達成するために、本発明の第１の観点に係る光ディスク装置は、
対物レンズと、前記対物レンズをフォーカス方向とトラッキング方向とに駆動させるアクチュエータとを有する光ピックアップを備える光ディスク装置であって、
擬似ランダム信号を取得する擬似ランダム信号取得手段と、
前記擬似ランダム信号取得手段が取得した擬似ランダム信号を前記光ピックアップの前記アクチュエータに供給して前記アクチュエータを振動させることで前記対物レンズのクリーニングを行う駆動制御手段と、を備える、
ことを特徴とする。
【０００６】
例えば、前記光ピックアップを動作させて光ディスク媒体から擬似ランダム信号を読み取る擬似ランダム信号読取手段と、
前記擬似ランダム信号読取手段が読み取った擬似ランダム信号を記憶する擬似ランダム信号記憶手段と、をさらに備え、
前記擬似ランダム信号取得手段は、前記擬似ランダム信号記憶手段が記憶する擬似ランダム信号を取得してもよい。
【０００７】
例えば、前記擬似ランダム信号取得手段は、外部より擬似ランダム信号を取得してもよい。
【０００８】
例えば、前記擬似ランダム信号は、音声信号であってもよい。
【０００９】
本発明の第２の観点に係るプログラムは、
対物レンズと、前記対物レンズをフォーカス方向とトラッキング方向とに駆動させるアクチュエータとを有する光ピックアップを備える光ディスク装置に含まれるコンピュータを、
擬似ランダム信号を取得する擬似ランダム信号取得手段、
前記擬似ランダム信号取得手段が取得した擬似ランダム信号により前記光ピックアップの前記アクチュエータを駆動させて前記対物レンズのクリーニングを行う駆動制御手段、
として機能させることを特徴とする。
【発明の効果】
【００１０】
光ディスク装置において効率よく対物レンズのクリーニングを行うことができる。
【発明を実施するための最良の形態】
【００１１】
以下、本発明の実施形態に係る光ディスク装置１００について説明する。この光ディスク装置１００は、図１に示すように、光ピックアップ１０とドライバ２０とデジタルサーボプロセッサ（ＤＳＰ）３０と信号読取部４０とメモリ５０と操作部６０とマイコン７０とを備える。また、光ディスク装置１００は、光ディスク媒体８０を装填し、記録されている情報を読み出す。ただし、レーザ光を制御するためのＡＰＣ（Automatic Power Control）回路や光ピックアップ１０を光ディスク媒体８０の半径方向に移動させるためのステッピングモータや光ディスク媒体を回転させるためのスピンドルモータ等は、簡略化のため省略されている。また、光ディスク装置１００は、外部装置２００と接続してデータの送受信を行う。
【００１２】
光ピックアップ１０は、対物レンズ１１と、フォーカシングコイル１２と、トラッキングコイル１３とを備える。光ピックアップ１０は、対物レンズ１１を介してレーザを光ディスク媒体８０に照射し、その反射光を検出して信号読取部４０に供給する。
【００１３】
対物レンズ１１は、フォーカシングコイル１２とトラッキングコイル１３とによってフォーカス方向とトラック方向とに駆動する。
【００１４】
フォーカシングコイル１２及びトラッキングコイル１３は、ＤＳＰ３０の制御に基づいて電磁力を発生して対物レンズ１１を駆動させる。
【００１５】
ドライバ２０は、ＤＳＰ３０の制御に応じた電力をフォーカシングコイル１２とトラッキングコイル１３とに供給する。
【００１６】
デジタルサーボプロセッサ（ＤＳＰ）３０は、信号読取部４０より供給された光ディスク媒体８０の反射光による信号に基づき、ディスク上の記録面にレーザの焦点が合うように、ディスク上のトラックを追従するようにサーボ制御を行う。
【００１７】
また、デジタルサーボプロセッサ３０は、マイコン７０の制御に基づいて、対物レンズ１１を、メモリ５０に記憶されている音声信号、又は、外部装置２００より取得した音声信号により駆動させてクリーニングを行う。
【００１８】
信号読取部４０は、光ピックアップ１０より供給された信号を処理してＲＦ信号やＦＥ（Focus Error）信号やＴＥ（Track Error）信号や復調信号等を生成してＤＳＰ３０とマイコン７０とに供給する。
【００１９】
メモリ５０は、信号読取部４０が読み取った、音声信号や映像信号等の復調信号を記憶する。また、メモリ５０は、外部装置２００より取得した音声信号や映像信号等の信号を記憶する。
【００２０】
操作部６０は、ユーザの操作に応じた操作信号をマイコン７０に供給する。
【００２１】
マイコン７０は、光ディスク装置１００全体を制御する。例えば、マイコン７０は、光ピックアップ１０を制御して光ディスク媒体８０の再生を行う。
また、光ピックアップ１０を制御して光ディスク媒体８０への任意のデータの記録を行う。
【００２２】
また、ＤＳＰ３０を制御して音声信号により対物レンズ１１を駆動させて、対物レンズ１１に付着する埃等のクリーニングを行う。以下、この動作をクリーニングと呼ぶ。
【００２３】
光ディスク媒体８０は、音声信号や映像信号等を記録面に有し、光ディスク装置１００に読み取らせる。また、光ディスク媒体８０は、光ディスク装置１００によって記録面に任意のデータを記録する。
【００２４】
外部装置２００は、光ディスク装置１００と音声信号等のデータの送受信を行う。
【００２５】
以下、上記構成の光ディスク装置１００の動作を説明する。
【００２６】
光ディスク装置１００は、ユーザの指示があった場合や、再生・記録の前後や、定期的に、外部装置２００と光ディスク媒体８０の何れかより取得した音声信号により対物レンズ１１を駆動させてクリーニングを行う。
【００２７】
次に、本発明の実施形態に係る光ディスク装置１００が行う光ディスク装置処理を、図２のフローチャートを参照して詳細に説明する。
【００２８】
光ディスク装置１００の電源が投入されると、マイコン７０は、マイコン７０内部のタイマを起動する（ステップＳ１０１）。
【００２９】
次に、マイコン７０は、ユーザより操作部６０を介して光ディスク媒体８０の再生を行う旨の指示があるか否かを判別する（ステップＳ１０２）。
【００３０】
再生の指示があった場合には（Ｓ１０２；ＹＥＳ）、マイコン７０は、ＤＳＰ３０を制御して、メモリ５０に記憶されている音声信号により対物レンズ１１を駆動させ、対物レンズ１１のクリーニングを行う（ステップＳ１０３）。
【００３１】
次に、マイコン７０は、光ディスク媒体８０の再生処理を行い（ステップＳ１０４）、再び対物レンズ１１のクリーニングを行い（ステップＳ１０５）、タイマの再起動を行い（ステップＳ１１３）、処理をステップＳ１０２に戻す。なお、再生処理については、詳細に後述する。
【００３２】
再生の指示がなかった場合には（Ｓ１０２；ＮＯ）、マイコン７０は、ユーザより操作部６０を介して光ディスク媒体８０への記録を行う旨の指示があるか否かを判別する（ステップＳ１０６）。
【００３３】
記録の指示があった場合には（Ｓ１０６；ＹＥＳ）、マイコン７０は、対物レンズ１１のクリーニングを行い（ステップＳ１０７）、光ディスク媒体８０への記録処理を行い（ステップＳ１０８）、再び対物レンズ１１のクリーニングを行い（ステップＳ１０９）、タイマの再起動を行い（ステップＳ１１３）、処理をステップＳ１０２に戻す。
【００３４】
記録の指示がなかった場合には（Ｓ１０６；ＮＯ）、マイコン７０は、ユーザより操作部６０を介して対物レンズ１１のクリーニングを行う旨の指示があるか否かを判別する（ステップＳ１１０）。
【００３５】
クリーニングの指示があった場合には（Ｓ１１０；ＹＥＳ）、マイコン７０は、対物レンズ１１のクリーニングを行い（ステップＳ１１２）、タイマの再起動を行い（ステップＳ１１３）、処理をステップＳ１０２に戻す。
【００３６】
クリーニングの指示がなかった場合には（Ｓ１１０；ＮＯ）、マイコン７０は、タイマを参照して、タイマが起動してから所定の時間が経過したか否かを判別する（ステップＳ１１１）。
【００３７】
所定の時間が経過している場合には（Ｓ１１１；ＹＥＳ）、マイコン７０は、対物レンズ１１のクリーニングを行い（ステップＳ１１２）、タイマの再起動を行い（ステップＳ１１３）、処理をステップＳ１０２に戻す。
【００３８】
所定の時間が経過していない場合には（Ｓ１１１；ＮＯ）、マイコン７０は、処理をステップＳ１０２に戻す。
【００３９】
このようにして、光ディスク装置処理によれば、光ディスク装置１００は、ユーザの指示があった場合に、再生・記録の前後に、定期的に、外部装置２００と光ディスク媒体８０の何れかより取得した音声信号により対物レンズ１１を駆動させてクリーニングを行うことができる。
【００４０】
次に、光ディスク装置１００が行う再生処理（Ｓ１０４）を説明する。光ディスク装置１００は、光ディスク媒体８０を再生し、再生したデータが音声信号であれば、メモリ５０に記憶する。以下、図３のフローチャートを参照して再生処理を説明する。
【００４１】
先ず、マイコン７０は、光ディスク媒体８０を再生する（ステップＳ１０４−１）。
【００４２】
次に、マイコン７０は、再生したデータが音声信号であるか否かを判別する（ステップＳ１０４−２）。
【００４３】
再生したデータが音声信号であれば（Ｓ１０４−２；ＹＥＳ）、マイコン７０は、その音声信号をメモリ５０に記憶し（ステップＳ１０４−３）、処理を光ディスク装置処理に戻す。
【００４４】
再生したデータが映像信号であれば（Ｓ１０４−２；ＮＯ）、マイコン７０は、処理を光ディスク装置処理に戻す。
【００４５】
再生処理によって記憶された音声信号は、クリーニングに使用される他、ユーザの指示によって再び、再生することができる。
【００４６】
以上、本発明の実施形態に係る光ディスク装置１００は、音声信号により対物レンズ１１を駆動させてクリーニングを行うので、効率的に埃等を除去することができる。
【００４７】
なお、本発明は上記実施形態に限定されず、種々の応用及び変形が可能である。
【００４８】
上記実施形態においては、対物レンズのクリーニングに使用される信号は、音声信号であったが、映像信号や他の比較的規則性のない信号であってもよい。
【００４９】
本発明に係る光ディスク装置１００は、専用の光ディスク装置によらず、通常の光ディスク装置を用いて実現可能である。例えば、通常の光ディスク装置に、上述のマイコン７０等の動作を実行させるためのプログラムを格納した媒体（ＣＤ−ＲＯＭ、ＭＯ等）からこれらのプログラムをインストールすることにより、当該光ディスク装置は、上述の処理を実行する光ディスク装置として機能する。
【００５０】
また、光ディスク装置にプログラムを提供する方法は任意である。例えば、プログラムは、通信回線の掲示板（ＢＢＳ）にアップロードされ、通信回線を介して光ディスク装置に配信されてもよい。また、プログラムは、プログラムを表す信号により搬送波を変調した変調波により伝送され、この変調波を受信した装置が変調波を復調してこのプログラムを復元するようにしてもよい。そして、光ディスク装置のマイコンは、このプログラムを起動して、ＯＳの制御のもと、他のアプリケーションプログラムと同様に実行する。これにより、光ディスク装置は、上述の処理を実行する光ディスク装置として機能する。
【００５１】
なお、ＯＳが処理の一部を分担する場合、あるいは、ＯＳが本願発明の１つの構成要素の一部を構成するような場合、記録媒体は、その部分を除いたプログラムを格納してもよい。
【００５２】
また、その他、具体的な細部構成等についても適宜変更可能である。
【図面の簡単な説明】
【００５３】
【図１】本発明の実施形態に係る光ディスク装置の構成図である。
【図２】光ディスク装置処理を説明するためのフローチャートである。
【図３】再生処理を説明するためのフローチャートである。
【符号の説明】
【００５４】
１０      光ピックアップ
１１      対物レンズ
１２      フォーカシングコイル
１３      トラッキングコイル
２０      ドライバ
３０      デジタルサーボプロセッサ
４０      信号読取部
５０      メモリ
６０      操作部
７０      マイコン
８０      光ディスク媒体
１００    光ディスク装置
２００    外部装置
【図１】
2009170032.tif 000003
【図２】
2009170032.tif 000004
【図３】
2009170032.tif 000005